(57)【要約】【課題】ＵＲＬ、ＩＰアドレス及び地域コードを含む地域／ドメイン情報を受信し、当該地域／ドメイン情報をＤＮＳキャッシュに記憶することによりＤＮＳサーバへのアクセスを制御することが可能なテレビジョン信号受信装置及びテレビジョン信号送受信システムを提供する。【解決手段】ＵＲＬ、ＩＰアドレス及び地域コードを少なくとも含む地域／ドメイン情報を含むテレビジョン放送信号を受信し、当該テレビジョン放送信号を復調して映像信号を出力する受信復調手段と、受信復調手段からの映像信号から地域／ドメイン情報を抽出する抽出手段と、自装置の地域コードを予め保持しており、当該自装置の地域コードを含む地域／ドメイン情報を記憶する制御手段と、制御手段からのアクセス要求又はユーザーからのアクセス要求に基づいて、選択されたＵＲＬへのアクセスを行うネットワーク接続手段とを具備する。【選択図】  図１
2004193833.tif 000002
【特許請求の範囲】
【請求項１】
ＵＲＬ、ＩＰアドレス及び地域コードを少なくとも含む地域／ドメイン情報を含むテレビジョン放送信号を受信するテレビジョン信号受信装置であって、前記テレビジョン放送信号を受信復調して映像信号を出力する受信復調手段と、前記受信復調手段からの映像信号から前記地域／ドメイン情報を抽出する抽出手段と、テレビジョン信号受信装置の地域コードを予め保持しており、前記抽出手段からの地域／ドメイン情報のうち当該地域コードに一致する地域コードを含む地域／ドメイン情報を記憶する制御手段と、前記制御手段からのアクセス要求又はユーザーからのアクセス要求に基づいて、選択されたＵＲＬへのアクセスを行うネットワーク接続手段とを具備することを特徴とするテレビジョン信号受信装置。
【請求項２】
選択されたＵＲＬを画面表示する表示手段を更に備えたことを特徴とする請求項１記載のテレビジョン信号受信装置。
【請求項３】
地域／ドメイン情報は、更にＵＲＬ表示開始時刻、ＵＲＬ表示終了時刻及びチャンネル番号を備えたことを特徴とする請求項１または請求項２記載のテレビジョン信号受信装置。
【請求項４】
制御手段は、ＵＲＬ表示開始時刻になった場合に、対応するＵＲＬへのアクセス要求をネットワーク接続手段へ通知することを特徴とする請求項３記載のテレビジョン信号受信装置。
【請求項５】
制御手段は、ユーザーが地域／ドメイン情報のチャンネル番号のチャンネルを選択してテレビ放送番組を視聴している場合において、ＵＲＬ表示開始時刻になった場合に、対応するＵＲＬへのアクセス要求をネットワーク接続手段へ通知し、表示手段に前記視聴中のテレビ放送番組と同時に前記アクセスされたＵＲＬを表示することを特徴とする請求項３記載のテレビジョン信号受信装置。
【請求項６】
ＵＲＬ、ＩＰアドレス及び地域コードを少なくとも含む地域／ドメイン情報を生成する生成手段と、映像信号と前記生成手段からの地域／ドメイン情報を多重化してテレビジョン放送信号を形成する多重化手段と、前記多重化手段からのテレビジョン放送信号を送信する送信手段とを備えることを特徴とするテレビジョン信号送信装置。
【請求項７】
請求項１乃至請求項５に記載のテレビジョン信号受信装置と、請求項６に記載のテレビジョン信号送信装置から構成されることを特徴とするテレビジョン信号送受信システム。
【請求項８】
ＵＲＬ、ＩＰアドレス、地域コード、ＵＲＬ表示開始時刻、ＵＲＬ表示終了時刻、チャンネル番号を含む地域／ドメイン情報を送信する第１のステップと、前記第１のステップからの地域／ドメイン情報を受信する第２のステップと、前記第２のステップにおいて受信された地域／ドメイン情報のうち、保持する地域コードに一致する地域コードを含む地域／ドメイン情報を記憶する第３のステップと、ＵＲＬ表示開始時刻になった場合に、対応するＵＲＬへのアクセスを行う第４のステップとを具備することを特徴とするテレビジョン信号送受信方法。
【請求項９】
ＵＲＬ表示終了時刻になった場合に、対応するＵＲＬへのアクセスを中止する第５のステップを更に備えたことを特徴とする請求項８記載のテレビジョン信号送受信方法。
【発明の詳細な説明】
【０００１】
【発明の属する技術分野】
本発明は、テレビジョン信号受信装置及びテレビジョン信号送受信システムに関し、更に詳しくは、テレビ放送番組に連動したネットワークサービスにおいて、ＶＢＩ（Ｖｅｒｔｉｃａｌ  Ｂｌａｎｋｉｎｇ  Ｉｎｔｅｒｖａｌ）に多重化された地域／ドメイン情報をＤＮＳ（Ｄｏｍａｉｎ  Ｎａｍｅ  Ｓｅｒｖｉｃｅ）キャッシュに登録し、ＷＷＷ（Ｗｏｒｌｄ  Ｗｉｄｅ  Ｗｅｂ）サーバへのアクセスを制御することが可能なテレビジョン信号受信装置及びテレビジョン信号送受信システムに関する。
【０００２】
【従来の技術】
テレビ放送番組に連動したネットワークサービスのためのテレビジョン信号受信装置としては、映像信号にドメイン情報（ＵＲＬ（Ｕｎｉｆｏｒｍ  Ｒｅｓｏｒｃｅ  Ｌｏｃａｔｏｒ））を含む信号を多重化して伝送し、テレビジョン信号受信装置がこれを受信し、ユーザーからの要求があった場合にインターネット経由でＵＲＬに対応するＷＷＷサーバに接続し、データを受信して対応するホームページをＣＲＴ（Ｃａｔｈｏｄｅ  Ｒａｙ  Ｔｕｂｅ）に取り込むテレビジョン信号受信装置が公知である（例えば、特許文献１参照）。
【０００３】
通常、パーソナルコンピュータ（以下、ＰＣと称す）等から指定されたＵＲＬのＷＷＷサーバにアクセスする場合、ＵＲＬからＩＰ（Ｉｎｔｅｒｎｅｔ  Ｐｒｏｔｏｃｏｌ）アドレスに変換するために、ＤＮＳサーバに問い合わせを実施した後で、そのＩＰアドレスのＷＷＷサーバにアクセスする。ＰＣにおけるインターネット高速化ツールは、一度アクセスしたＷＷＷサーバの名前解決情報（ＵＲＬ、ＩＰアドレス）をＰＣのメモリ上のＤＮＳキャッシュに登録し、再度同じＷＷＷサーバへのアクセスがあった場合、ＤＮＳサーバへの名前解決のためのアクセスを省くことによって応答時間を短縮化している。
【０００４】
また、ＤＮＳサーバのデータベースに同一ＵＲＬに対する複数のＷＷＷサーバのＩＰアドレスを登録しておき、ユーザーからリクエストがあった場合に、所定の順番でデータベースを検索して、検索の結果得られたＩＰアドレスをユーザーに通知することにより、各ＷＷＷサーバへのアクセスを分散する方法もある。
【０００５】
【特許文献１】
特開平０９−１６２８１８号公報
【０００６】
【発明が解決しようとする課題】
テレビ放送番組に連動したサービスでは、テレビ放送が同時刻に全国的に放送されるという特徴から、視聴者から同時に番組中に指定されたＵＲＬのホームページへアクセスするということが考えられる。
【０００７】
しかしながら、上記従来技術のテレビジョン信号受信装置では、テレビジョン信号受信装置の名前解決を一度行った場合にＤＮＳキャッシュに名前解決情報（ＵＲＬ、ＩＰアドレス）が登録されるため、多数のテレビジョン信号受信装置のＤＮＳキャッシュに名前解決情報（ＵＲＬ、ＩＰアドレス）が存在しない場合、一斉にＤＮＳサーバへのアクセスが集中して応答時間が遅くなるという問題があった。
【０００８】
また、ＷＷＷサーバが同じセグメントのネットワークに接続されている場合は、たとえ同一ＵＲＬに対する複数のＷＷＷサーバを用意していたとしても、やはりネットワークトラフィックなどの急増によって応答時間が遅くなるという問題があった。
【０００９】
本発明は、上記問題に鑑みて成されたもので、ＵＲＬ、ＩＰアドレス及び地域コードを含む地域／ドメイン情報を受信し、当該地域／ドメイン情報をＤＮＳキャッシュに記憶することによりＤＮＳサーバへのアクセスを制御することが可能なテレビジョン信号受信装置及びテレビジョン信号送受信システムを提供することを目的とする。
【００１０】
【課題を解決するための手段】
本発明の請求項１に係るテレビジョン信号受信装置は、ＵＲＬ、ＩＰアドレス及び地域コードを少なくとも含む地域／ドメイン情報を含むテレビジョン放送信号を受信するテレビジョン信号受信装置であって、テレビジョン放送信号を受信復調して映像信号を出力する受信復調手段と、受信復調手段からの映像信号から地域／ドメイン情報を抽出する抽出手段と、テレビジョン信号受信装置の地域コードを予め保持しており、抽出手段からの地域／ドメイン情報のうち当該地域コードに一致する地域コードを含む地域／ドメイン情報を記憶する制御手段と、制御手段からのアクセス要求又はユーザーからのアクセス要求に基づいて、選択されたＵＲＬへのアクセスを行うネットワーク接続手段とを具備する。
【００１１】
また、本発明の請求項２に係るテレビジョン信号受信装置は、請求項１の構成において、選択されたＵＲＬを画面表示する表示手段を更に備えたことを特徴とする。
【００１２】
また、本発明の請求項３に係るテレビジョン信号受信装置は、請求項１または請求項２の構成において、地域／ドメイン情報は、更にＵＲＬ表示開始時刻、ＵＲＬ表示終了時刻及びチャンネル番号を備えたことを特徴とする。
【００１３】
また、本発明の請求項４に係るテレビジョン信号受信装置は、請求項３の構成において、制御手段は、ＵＲＬ表示開始時刻になった場合に、対応するＵＲＬへのアクセス要求をネットワーク接続手段へ通知することを特徴とする。
【００１４】
また、本発明の請求項５に係るテレビジョン信号受信装置は、請求項３の構成において、制御手段は、ユーザーが地域／ドメイン情報のチャンネル番号のチャンネルを選択してテレビ放送番組を視聴している場合において、ＵＲＬ表示開始時刻になった場合に、対応するＵＲＬへのアクセス要求をネットワーク接続手段へ通知し、表示手段に視聴中のテレビ放送番組と同時にアクセスされたＵＲＬを表示することを特徴とする。
【００１５】
また、本発明の請求項６に係るテレビジョン信号送信装置は、ＵＲＬ、ＩＰアドレス及び地域コードを少なくとも含む地域／ドメイン情報を生成する生成手段と、映像信号と生成手段からの地域／ドメイン情報を多重化してテレビジョン放送信号を形成する多重化手段と、多重化手段からのテレビジョン放送信号を送信する送信手段とを備えることを特徴とする。
【００１６】
また、本発明の請求項７に係るテレビジョン信号送受信システムは、請求項１乃至請求項５に記載のテレビジョン信号受信装置と、請求項６に記載のテレビジョン信号送信装置から構成されることを特徴とする。
【００１７】
また、本発明の請求項８に係るテレビジョン信号送受信方法は、ＵＲＬ、ＩＰアドレス、地域コード、ＵＲＬ表示開始時刻、ＵＲＬ表示終了時刻、チャンネル番号を含む地域／ドメイン情報を送信する第１のステップと、第１のステップからの地域／ドメイン情報を受信する第２のステップと、第２のステップにおいて受信された地域／ドメイン情報のうち、保持する地域コードに一致する地域コードを含む地域／ドメイン情報を記憶する第３のステップと、ＵＲＬ表示開始時刻になった場合に、対応するＵＲＬへのアクセスを行う第４のステップとを具備することを特徴とする。
【００１８】
また、本発明の請求項９に係るテレビジョン信号送受信方法は、請求項８の構成において、ＵＲＬ表示終了時刻になった場合に、対応するＵＲＬへのアクセスを中止する第５のステップを更に備えたことを特徴とする。
【００１９】
【発明の実施の形態】
図１は、本発明の実施の形態によるテレビジョン信号送受信システムの構成を示すブロック図である。テレビジョン信号送受信システムは、テレビジョン信号送信装置１００とテレビジョン信号受信装置２００から構成される。
【００２０】
テレビジョン信号送信装置１００は、テレビジョン信号発生部１１と、地域／ドメイン情報生成部１２と、マルチプレクサ１３と、送信部１４から構成される。
【００２１】
テレビジョン信号発生部１１は、映像信号及び音声信号を生成増幅する。地域／ドメイン情報生成部１２は、伝送するテレビ放送番組のネットワークサービスのホームページの地域／ドメイン情報を生成する。マルチプレクサ１３は、テレビジョン信号発生部１１からの映像信号と地域／ドメイン情報生成部１２からの情報を多重化する。送信部１４は、マルチプレクサ１３からの映像信号とテレビジョン信号発生部１１からの音声信号（図示せず）を後述するテレビジョン信号受信装置２００へ送信する。
【００２２】
地域／ドメイン情報は、テレビ放送番組に連動するホームページのＵＲＬ、ＩＰアドレス及び地域コードを少なくとも含んでおり、テレビジョン信号送信装置１００側で地域によってアクセスするＷＷＷサーバに制限をかけることができる。
【００２３】
テレビジョン信号受信装置２００は、チューナ２１と、多重分離部２２と、ＶＢＩデータ処理部２３と、切替・合成部２４と、表示部２５と、ＣＲＴ２６と、リモコン信号受信部２７と、ネットワーク入出力部２８と、入出力情報制御部２９から構成される。
【００２４】
チューナ２１は、指定されたテレビ放送チャンネルのテレビジョン放送信号を受信復調し、音声信号を音声出力処理部（図示せず）を介してスピーカ（図示せず）に出力すると共に、多重分離部２２及び映像信号を切替・合成部２４に出力する。多重分離部２２は、チューナ２１からの映像信号から文字放送用の文字データ信号や地域／ドメイン情報を含む信号を抽出してＶＢＩデータ処理部２３に出力する。
【００２５】
ＶＢＩデータ処理部２３は、多重分離部２２からの信号から地域／ドメイン情報を抽出し、抽出した地域／ドメイン情報を入出力情報制御部２９に出力する。切替・合成部２４は、ユーザーからの要求に従い映像信号とブラウザの表示の切り替えや合成を行う。具体的には画面に表示されているＵＲＬにアクセスしたい場合、ユーザーはリモコンに具備されているインターネットアクセスするためのキーを押下して、リモコン信号が後述のリモコン信号受信部２７にて受信されて、入出力情報制御部２９のワークＲＡＭ２９ｃ上に保存されているＵＲＬへアクセスする。ＷＷＷ閲覧中にリモコンに具備されている映像信号に復帰するためのキーを押下した場合はブラウザを終了し、最後に選局していた放送番組の映像信号を表示する。またブラウザと映像の２画面表示やＰｉｎＰ表示処理機能を具備する。表示部２５は、切替・合成部２４からの信号に所定の処理を行いＣＲＴ２６へ出力する。ＣＲＴ２６は、表示部２５からの映像信号及び／又はホームページを画面表示する。
【００２６】
リモコン信号受信部２７は、赤外線リモコン（図示せず）を介してユーザーからの要求を受信する。ネットワーク入出力部２８は、入出力情報制御部２９からのＵＲＬアクセス要求に基づき、選択されたＵＲＬを持つホームページにアクセスする。
【００２７】
入出力情報制御部２９は、後述するワークＲＡＭ２９ｃに自地域に関する地域／ドメイン情報を保存し、ＵＲＬ表示開始時刻になった場合又はユーザーからのＵＲＬ表示要求があった場合に、ネットワーク入出力部２８に対しＵＲＬアクセス要求を出力する。
【００２８】
本実施の形態では、地域／ドメイン情報生成部１２が請求項に記載された生成手段に相当し、同様にマルチプレクサ１３が多重化手段、送信部１４が送信手段、チューナ２１が受信復調手段、多重分離部２２及びＶＢＩデータ処理部２３が抽出手段、入出力情報制御部２９が制御手段、ネットワーク入出力部２８がネットワーク接続手段、切替・合成部２４、表示部２５及びＣＲＴ２６が表示手段に相当する。
【００２９】
ここで、図２を用いてテレビジョン信号受信装置２００の入出力情報制御部２９の構成について説明する。
【００３０】
入出情報制御部２９は、ＣＰＵ２９ａと、プログラムＲＯＭ２９ｂと、ワークＲＡＭ２９ｃと、切替・合成手段２９ｄと、ネットワーク制御手段２９ｅと、時計手段２９ｆと、ブラウザ処理手段２９ｇと、ＶＢＩデータ処理手段２９ｈから構成される。
【００３１】
ＣＰＵ２９ａは、入出力情報制御部２９を介する全ての情報の制御を行う。プログラムＲＯＭ２９ｂは、ＣＰＵ２９ａに接続された各手段（２９ｂ乃至２９ｈ）を制御するためのコンピュータプログラムを格納しており、ＣＰＵ２９ａがデータの書き込み、読み出し、検索等の制御を行う際に使用される。ワークＲＡＭ２９ｃは、ＣＰＵ２９ａが一時的に情報を格納するメモリであり、ＤＮＳキャッシュを保持する。
【００３２】
切替・合成手段２９ｄは、切替・合成部２４との間で映像信号及び／又はデータからなる情報の受け渡しを行う。ネットワーク制御手段２９ｅは、ネットワーク入出力部２８へのＵＲＬアクセス要求やＤＮＳサーバへのアクセス要求があった場合にネットワーク入出力信号を制御する。時計手段２９ｆは、現在時刻を計時する。
【００３３】
ブラウザ処理手段２９ｇは、ＨＴＭＬ（Ｈｙｐｅｒ  Ｔｅｘｔ  ＭａｋｅｕｐＬａｎｇｕａｇｅ）のタグに従ってレイアウトを再現し、文字や画像、動画、音声などを再生する。ＶＢＩデータ処理手段２９ｈは、ＶＢＩデータ処理部２３からの地域／ドメイン情報をワークＲＡＭ２９ｃ上に保存する処理を行う。
【００３４】
次に、テレビ放送番組と連動するホームページを自動的に表示する動作について図３及び図４を用いて説明する。図３は、テレビ放送番組と連動するホームページを自動的に表示するための制御手順を示すフローチャートであり、図４は、地域／ドメイン情報の一例を示す図である。
【００３５】
まず、テレビジョン信号送信装置１００が、地域／ドメイン情報をＶＢＩに多重化し、テレビジョン放送信号としてテレビジョン信号受信装置２００へ送信する（Ｓ３０１）。ここで、送信する地域／ドメイン情報は、図４（ａ）に示すように、ＵＲＬ表示開始時刻、ＵＲＬ表示終了時刻、ＵＲＬ、ＩＰアドレス、チャンネル番号及び地域コードを含んでいる。
【００３６】
テレビジョン信号受信装置２００は、チューナ２１においてテレビジョン放送信号を受信復調し（Ｓ３０２）、多重分離部２２及びＶＢＩデータ処理部２３において、映像信号から地域／ドメイン情報を含む信号を抽出する（Ｓ３０３）。
【００３７】
そして、入出力情報制御部２９において、テレビジョン信号受信装置が予め保持している自地域の地域コードと取得した地域／ドメイン情報に含まれる地域コードとの比較を行い、自地域の地域コードに対応する地域／ドメイン情報をワークＲＡＭ２９ｃに保存する（Ｓ３０４）。ここで、図４（ｂ）は地域Ａの地域／ドメイン情報であり、図４（ｄ）は地域Ｂの地域／ドメイン情報である。
【００３８】
また、ワークＲＡＭ２９ｃに保存された地域／ドメイン情報のうち、ＵＲＬとＩＰアドレスをワークＲＡＭ２９ｃ内のＤＮＳキャッシュに保存する（Ｓ３０５）。図４（ｃ）は地域Ａのテレビジョン信号受信装置のＤＮＳキャッシュに保存されたドメイン情報であり、図４（ｅ）は地域Ｂのテレビジョン信号受信装置のＤＮＳキャッシュに保存されたドメイン情報である。
【００３９】
上記処理後、ユーザーが地域／ドメイン情報のチャンネル番号のチャンネルを選択してテレビ放送番組を視聴している場合に、入出力情報制御部２９の時計手段２９ｆによってＵＲＬ表示開始時刻になったかどうかを監視し（Ｓ３０６）、ＵＲＬ表示開始時刻になった時に（Ｓ３０６でＹＥＳ）、ネットワーク入出力部２８を介して該当するＵＲＬにアクセスし、ホームページを切替・合成部２４及び表示部２５を介してＣＲＴ２６に表示する（Ｓ３０７）。例えば、２００２年９月１６日の２０：００に、テレビ放送番組に連動したｗｗｗ．ａｂｃ．ｃｏｍのＵＲＬが、地域Ａでは１１１．１１１．１１１．１１１のＩＰアドレスを持つＷＷＷサーバにアクセスして表示され、地域Ｂでは１１１．１１１．１１１．２２２のＩＰアドレスを持つＷＷＷサーバにアクセスして表示される。また、ｗｗｗ．ｘｙｚ．ｃｏｍのＵＲＬについては、地域Ａでは２２２．２２２．２２２．１１１のＩＰアドレスを持つＷＷＷサーバにアクセスしてテレビ放送番組と連動して表示されるが、地域Ｂについてはドメイン情報が存在しないためＵＲＬの表示は行われない。
【００４０】
そして、ＵＲＬ表示終了時刻になるまでＵＲＬの表示を継続し（Ｓ３０８でＮＯ）、ＵＲＬ表示終了時刻になった時に（Ｓ３０８でＹＥＳ）、ＵＲＬ表示を中止する（Ｓ３０９）。
【００４１】
本実施の形態では、ＵＲＬ表示開始時刻／ＵＲＬ表示終了時刻に合わせてＵＲＬ表示を行うようにしているが、ユーザーからのＵＲＬアクセス要求によってＤＮＳキャッシュを利用して名前解決を行い、指定されたＵＲＬへアクセスすることもできる。
【００４２】
また、地域／ドメイン情報としてＵＲＬ表示終了時刻を保持しているが、ＵＲＬ表示終了時刻を保持せず、ＵＲＬ非表示処理をユーザー自身に行わせるようにしてもよい。
【００４３】
なお、本実施の形態は、アナログ放送での実施を前提にしているが、デジタル放送においても、地域／ドメイン情報を付加情報として送信することにより、同様の効果を得ることができる。
【００４４】
【発明の効果】
以上説明したように、本発明のテレビジョン信号受信装置及びテレビジョン信号送受信システムによれば、ＵＲＬ、ＩＰアドレス及び地域コードを含む地域／ドメイン情報を受信し、ネットワークにアクセスする前にＤＮＳキャッシュに名前解決のための情報を登録することができるため、ＤＮＳサーバへのアクセスを省略したり、応答時間を短縮したり、ＤＮＳサーバの負荷を軽減したりすることが可能となる。
【００４５】
また、テレビジョン信号受信装置に直接名前解決情報を送信するため、ＷＷＷサーバに新しくＩＰアドレスを登録したとき等にも有効である。
【００４６】
更に、地域によって、アクセスするＷＷＷサーバを制御することができるため、ネットワーク資源の負荷分散が可能となる。
【図面の簡単な説明】
【図１】本発明の実施の形態によるテレビジョン信号送受信システムの構成を示すブロック図
【図２】同実施の形態の入出力情報制御部２９の構成を示す図
【図３】同実施の形態のテレビ放送番組と連動するホームページを自動的に表示するための制御手順を示すフローチャート
【図４】（ａ）地域／ドメイン情報の一例図
（ｂ）地域ＡのワークＲＡＭ２９ｃに保持する地域／ドメイン情報を示す一例図
（ｃ）地域ＡのＤＮＳキャッシュに保持するドメイン情報を示す一例図
（ｄ）地域ＢのワークＲＡＭ２９ｃに保持する地域／ドメイン情報を示す一例図
（ｅ）地域ＢのＤＮＳキャッシュに保持するドメイン情報を示す一例図
【符号の説明】
１１  テレビジョン信号発生部
１２  地域／ドメイン情報生成部
１３  マルチプレクサ
１４  送信部
２１  チューナ
２２  多重分離部
２３  ＶＢＩデータ処理部
２４  切替・合成部
２５  表示部
２６  ＣＲＴ
２７  リモコン信号受信部
２８  ネットワーク入出力部
２９  入出力情報制御部
２９ａ  ＣＰＵ
２９ｂ  プログラムＲＯＭ
２９ｃ  ワークＲＡＭ
２９ｄ  切替・合成手段
２９ｅ  ネットワーク制御手段
２９ｆ  時計手段
２９ｇ  ブラウザ処理手段
２９ｈ  ＶＢＩデータ処理手段
１００  テレビジョン信号送信装置
２００  テレビジョン信号受信装置
【図１】
2004193833.tif 000003
【図２】
2004193833.tif 000004
【図３】
2004193833.tif 000005
【図４】
2004193833.tif 000006